【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
第１のデータ列を変換して第２のデータ列を生成するデータ変換装置のデータ変換方法において、
前記第１のデータ列を構成する複数のフレームの順番を変更することにより、前記第１のデータ列を変換して、前記第２のデータ列を生成するデータ変換ステップと、
前記データ変換ステップの処理により変換されて生成された前記第２のデータ列を、前記第１のデータ列に復元するために必要な第３のデータ列を生成する生成ステップと
を含むことを特徴とするデータ変換方法。
【請求項２】
前記第１のデータ列を構成する複数の前記フレームは、第１のフレームと第２のフレームに分類され、
前記データ変換ステップの処理では、前記第１のフレームが、前記第２のフレームよりも前に位置するように順番が変更されることにより、前記第１のデータ列を変換して、前記第２のデータ列を生成する
ことを特徴とする請求項１に記載のデータ変換方法。
【請求項３】
入力されたデータを符号化する符号化ステップを更に含み、
前記データ変換ステップの処理では、前記符号化ステップの処理により符号化された符号化データを前記第１のデータ列として、前記第２のデータ列に変換する
ことを特徴とする請求項１に記載のデータ変換方法。
【請求項４】
前記データ変換ステップの処理では、前記第１のデータ列に含まれているフレームのうちの少なくとも１つのフレームに含まれている第１のデータを第２のデータに置き換える処理を更に実行して前記第２のデータ列を生成し、
前記生成ステップの処理では、前記データ変換ステップの処理により前記第２のデータに置き換えられた前記第１のデータを含む前記第３のデータ列を生成する
ことを特徴とする請求項１に記載のデータ変換方法。
【請求項５】
第１のデータ列を変換して第２のデータ列を生成するデータ変換装置において、
前記第１のデータ列を構成する複数のフレームの順番を変更することにより、前記第１のデータ列を変換して、前記第２のデータ列を生成するデータ変換手段と、
前記データ変換手段により変換されて生成された前記第２のデータ列を、前記第１のデータ列に復元するために必要な第３のデータ列を生成する生成手段と
を備えることを特徴とするデータ変換装置。
【請求項６】
第１のデータ列を変換して第２のデータ列を生成するデータ変換装置用のプログラムであって、
前記第１のデータ列を構成する複数のフレームの順番を変更することにより、前記第１のデータ列を変換して、前記第２のデータ列を生成するデータ変換ステップと、
前記データ変換ステップの処理により変換されて生成された前記第２のデータ列を、前記第１のデータ列に復元するために必要な第３のデータ列を生成する生成ステップと
を含むことを特徴とするコンピュータが読み取り可能なプログラムが記録されている記録媒体。
【請求項７】
第１のデータ列を変換して第２のデータ列を生成するデータ変換装置を制御するコンピュータが実行可能なプログラムであって、
前記第１のデータ列を構成する複数のフレームの順番を変更することにより、前記第１のデータ列を変換して、前記第２のデータ列を生成するデータ変換ステップと、
前記データ変換ステップの処理により変換されて生成された前記第２のデータ列を、前記第１のデータ列に復元するために必要な第３のデータ列を生成する生成ステップと
を含むことを特徴とするプログラム。
【請求項８】
第１のデータ列を第２のデータ列に復元するデータ復元装置のデータ復元方法において、
前記第１のデータ列を前記第２のデータ列に復元するために必要な情報を含む第３のデータ列の取得を制御する取得制御ステップと、
前記取得制御ステップの処理により取得が制御された前記第３のデータ列を基に、前記第１のデータを構成する複数のフレームの順番を変更して、前記第２のデータ列を復元する復元ステップと
を含むことを特徴とするデータ復元方法。
【請求項９】
前記第１のデータ列を構成する複数の前記フレームは、第１のフレームと第２のフレームに分類され、前記第１のフレームが、前記第２のフレームよりも前に位置するように配置され、
前記復元ステップの処理では、前記取得制御ステップにより取得が制御された前記第３のデータ列に含まれている情報を基に、前記第１のフレームの位置を移動して、前記第２のデータ列を復元する
ことを特徴とする請求項８に記載のデータ復元方法。
【請求項１０】
前記復元ステップの処理により復元された前記第２のデータ列の、所定の記録媒体への記録を制御する記録制御ステップ
を更に含むことを特徴とする請求項８に記載のデータ復元方法。
【請求項１１】
前記復元ステップの処理により復元された前記第２のデータ列を復号する復号ステップ
を更に含むことを特徴とする請求項８に記載のデータ復元方法。
【請求項１２】
前記第１のデータ列は、少なくとも一部暗号化され、
前記第３のデータ列には、前記第１のデータ列の暗号化された部分に対応する復号鍵が含まれ、
前記復元ステップの処理では、前記取得制御ステップにより取得が制御された前記第３のデータ列に含まれている前記復号鍵を用いて、前記第１のデータ列の少なくとも一部を復号する処理を更に実行する
ことを特徴とする請求項８に記載のデータ復元方法。
【請求項１３】
前記復元ステップの処理では、前記取得制御ステップにより取得が制御された前記第３のデータ列に含まれている第１のデータを、第１のデータ列に含まれている第２のデータと置き換えることにより、前記第２のデータ列を復元する
ことを特徴とする請求項８に記載のデータ復元方法。
【請求項１４】
第１のデータ列を第２のデータ列に復元するデータ復元装置において、
前記第１のデータ列を前記第２のデータ列に復元するために必要な情報を含む第３のデータ列を取得する取得手段と、
前記取得手段により取得された前記第３のデータ列を基に、前記第１のデータを構成する複数のフレームの順番を変更して、前記第２のデータ列を復元する復元手段と
を備えることを特徴とするデータ復元装置。
【請求項１５】
第１のデータ列を第２のデータ列に復元するデータ復元装置用のプログラムであって、
前記第１のデータ列を前記第２のデータ列に復元するために必要な情報を含む第３のデータ列の取得を制御する取得制御ステップと、
前記取得制御ステップの処理により取得が制御された前記第３のデータ列を基に、前記第１のデータを構成する複数のフレームの順番を変更して、前記第２のデータ列を復元する復元ステップと
を含むことを特徴とするコンピュータが読み取り可能なプログラムが記録されている記録媒体。
【請求項１６】
第１のデータ列を第２のデータ列に復元するデータ復元装置を制御するコンピュータが実行可能なプログラムであって、
前記第１のデータ列を前記第２のデータ列に復元するために必要な情報を含む第３のデータ列の取得を制御する取得制御ステップと、
前記取得制御ステップの処理により取得が制御された前記第３のデータ列を基に、前記第１のデータを構成する複数のフレームの順番を変更して、前記第２のデータ列を復元する復元ステップと
を含むことを特徴とするプログラム。
【請求項１７】
オリジナルのコンテンツデータに対して、試聴用として配布される試聴データのデータフォーマットであって、
前記試聴データの再生時間情報を含むヘッダ情報と、
試聴領域として設定され、再生品質が前記コンテンツデータの対応する部分よりも劣化するように設定されている第１のフレームと、
試聴不可の領域として、再生することが出来ないように設定されている第２のフレームと
を含み、
前記第１のフレームは、前記第２のフレームよりも再生時の時間軸で前となるように配置され、
前記ヘッダ情報には、前記試聴データの前記再生時間情報として前記第１のフレームの合計の再生時間が記載されている
ことを特徴とするデータフォーマット。
【請求項１８】
オリジナルのコンテンツデータに対する試聴データを、前記コンテンツデータに復元するために配布される復元用データのデータフォーマットであって、
前記コンテンツデータの再生時間と、前記試聴データにおいて試聴領域として設定されているフレームの前記コンテンツデータにおける位置情報とを含むヘッダ情報と、
前記試聴データに含まれている少なくとも１つの第１のデータと置き換える第２のデータと、
前記第１のデータを前記第２のデータに正しく置き換えるために必要な情報と
を含むことを特徴とするデータフォーマット。
【手続補正２】
【補正対象書類名】明細書
【補正対象項目名】００４６
【補正方法】削除
【補正の内容】
【手続補正３】
【補正対象書類名】明細書
【補正対象項目名】００４７
【補正方法】削除
【補正の内容】
【手続補正４】
【補正対象書類名】明細書
【補正対象項目名】００４８
【補正方法】削除
【補正の内容】
【手続補正５】
【補正対象書類名】明細書
【補正対象項目名】００４９
【補正方法】削除
【補正の内容】
【手続補正６】
【補正対象書類名】明細書
【補正対象項目名】００５１
【補正方法】削除
【補正の内容】
【手続補正７】
【補正対象書類名】明細書
【補正対象項目名】００５３
【補正方法】削除
【補正の内容】
【手続補正８】
【補正対象書類名】明細書
【補正対象項目名】００５４
【補正方法】削除
【補正の内容】
【手続補正９】
【補正対象書類名】明細書
【補正対象項目名】００５５
【補正方法】削除
【補正の内容】
【手続補正１０】
【補正対象書類名】明細書
【補正対象項目名】００５６
【補正方法】削除
【補正の内容】
【手続補正１１】
【補正対象書類名】明細書
【補正対象項目名】００５７
【補正方法】削除
【補正の内容】
【手続補正１２】
【補正対象書類名】明細書
【補正対象項目名】００５８
【補正方法】削除
【補正の内容】
【手続補正１３】
【補正対象書類名】明細書
【補正対象項目名】００５９
【補正方法】削除
【補正の内容】
【手続補正１４】
【補正対象書類名】明細書
【補正対象項目名】００６０
【補正方法】削除
【補正の内容】
【手続補正１５】
【補正対象書類名】明細書
【補正対象項目名】００６１
【補正方法】削除
【補正の内容】
【手続補正１６】
【補正対象書類名】明細書
【補正対象項目名】００６７
【補正方法】削除
【補正の内容】
【手続補正１７】
【補正対象書類名】明細書
【補正対象項目名】００６８
【補正方法】削除
【補正の内容】
【手続補正１８】
【補正対象書類名】明細書
【補正対象項目名】００７１
【補正方法】削除
【補正の内容】
【手続補正１９】
【補正対象書類名】明細書
【補正対象項目名】００７４
【補正方法】削除
【補正の内容】
【手続補正２０】
【補正対象書類名】明細書
【補正対象項目名】００７５
【補正方法】削除
【補正の内容】
【手続補正２１】
【補正対象書類名】明細書
【補正対象項目名】００７６
【補正方法】削除
【補正の内容】
【手続補正２２】
【補正対象書類名】明細書
【補正対象項目名】００７７
【補正方法】削除
【補正の内容】
【手続補正２３】
【補正対象書類名】明細書
【補正対象項目名】００７８
【補正方法】削除
【補正の内容】
【手続補正２４】
【補正対象書類名】明細書
【補正対象項目名】００７９
【補正方法】削除
【補正の内容】
【手続補正２５】
【補正対象書類名】明細書
【補正対象項目名】００８０
【補正方法】削除
【補正の内容】
【手続補正２６】
【補正対象書類名】明細書
【補正対象項目名】００８１
【補正方法】削除
【補正の内容】
【手続補正２７】
【補正対象書類名】明細書
【補正対象項目名】００８２
【補正方法】削除
【補正の内容】